(57)【要約】【課題】民生機器で撮影された映像を、簡易かつ即座に放送設備で利用可能とするための放送用信号生成装置を提供する。【解決手段】放送用信号生成装置は、複数種類のコンテナフォーマットのファイルを入力可能なファイル入力部と、ファイル入力部に入力されたファイルのコンテナフォーマットを解析するコンテナ解析部（６０）と、コンテナ解析部による解析結果と、ファイルに含まれる映像データの圧縮方式とに応じて、元の映像を復元するための復元部（６１）とを備える。また、復元部による復元後の映像を、所定の画素数の映像信号に変換する映像変換部（６５）と、映像変換部による変換後の映像信号に基づいて、リファレンス信号で同期された放送用映像信号を生成する生成部と、放送用映像信号を出力する放送用信号出力部とを備えており、これら各部は、単一の筐体に搭載されている。【選択図】図６
0003202555.tif 000002
【実用新案登録請求の範囲】
【請求項１】
民生機器で撮影された映像から、放送用映像信号を生成して出力する放送用信号生成装置であって、
複数種類のコンテナフォーマットのファイルを入力可能なファイル入力部と、
リファレンス信号を入力するためのリファレンス信号入力部と、
前記ファイル入力部に入力されたファイルのコンテナフォーマットを解析するコンテナ解析部と、
前記コンテナ解析部による解析結果と、前記ファイルに含まれる映像データの圧縮方式とに応じて、元の映像を復元するための復元部と、
前記復元部による復元後の映像を、所定の画素数の映像信号に変換する映像変換部と、
前記映像変換部による変換後の映像信号に基づいて、前記リファレンス信号入力部から入力されるリファレンス信号で同期された放送用映像信号を生成する生成部と、
前記放送用映像信号を出力するための放送用信号出力部とを備え、
前記各部は、単一の筐体に搭載されている、放送用信号生成装置。
【請求項２】
前記筐体には、複数種類の記録媒体それぞれを装着するための複数の入力端子が設けられており、
前記ファイル入力部は、前記入力端子に装着された記録媒体からファイルを読み出す、請求項１に記載の放送用信号生成装置。
【請求項３】
前記復元部による復元後の映像を、接続されたモニタに表示するための表示用信号に変換する表示用信号変換部と、
前記筐体に設けられ、前記表示用信号を出力するための表示用信号出力部とをさらに備える、請求項１または２に記載の放送用信号生成装置。
【請求項４】
前記復元部は、互いに異なる方式によってファイルから映像データを取り出す複数の分離部と、前記複数の分離部のうち、前記コンテナ解析部の解析結果に応じて１つの分離部を選択する第１の選択部とを含む、請求項１〜３のいずれかに記載の放送用信号生成装置。
【請求項５】
前記復元部は、互いに異なる方式によって映像データをデコードする複数の映像デコード部と、前記複数の映像デコード部のうち、前記第１の選択部で選択された分離部により取り出された映像データの圧縮方式に応じて、１つの映像デコード部を選択する第２の選択部とをさらに含む、請求項４に記載の放送用信号生成装置。
【請求項６】
前記分離部は、前記ファイルから映像データと音声データとを分離して取り出し、前記復元部は、取り出された音声データの圧縮方式に応じて、音声データをデコードする音声デコード部をさらに含み、
復元後の音声を、所定の周波数およびチャネルの音声信号に変換するための音声変換部と、
前記映像変換部による変換後の映像信号と前記音声変換部による変換後の音声信号とを合成するための合成部と、
前記映像デコード部および前記音声デコード部の処理状況と、前記映像変換部および前記音声変換部の処理状況とを監視し、変換遅延を評価して前記分離部にフィードバック情報を出力するための監視部とをさらに含む、請求項５に記載の放送用信号生成装置。
【考案の詳細な説明】
【技術分野】
【０００１】
本考案は、放送用信号生成装置に関し、特に、民生機器で撮影された映像から、放送業務用途に適した映像信号（以下「放送用映像信号」という）を生成して出力する放送用信号生成装置に関する。
【背景技術】
【０００２】
今般、スマートフォンなどの携帯機器やデジタルカメラの撮影機能が向上している。そのため、視聴者が撮影した映像（動画および静止画を含む）がテレビ放送に利用されるケースが増えている。しかし、これら民生機器で撮影された映像は、放送設備においてそのまま使用することができず、放送用映像信号、たとえばＨＤ−ＳＤＩ（High Definition Serial Digital Interface）信号に変換する必要がある。
【０００３】
一般的に、民生コーデックされた映像は、汎用ＰＣ（Personal Computer）と、ＰＣからの出力信号をＳＤＩ信号に変換するコンバータと、ＦＳ（Frame Synchronizer）回路とを経て、放送用映像信号に変換される。このように、通常は、複数の装置を介して民生コーデックされた映像から放送用映像信号が生成される。
【０００４】
一方で、特開２０１５−１３６０８９号公報（特許文献１）には、記録媒体に記録された映像をデコードし、ＳＤＩ信号として出力する映像再生装置が開示されている。
【先行技術文献】
【特許文献】
【０００５】
【特許文献１】特開２０１５−１３６０８９号公報
【考案の概要】
【考案が解決しようとする課題】
【０００６】
上述のように、特許文献１には、記録媒体に記録された映像を放送用映像信号として出力する単体の装置が開示されている。しかし、記録媒体に記録される映像のファイル形式（コンテナフォーマット）は、業務用の映像機器で用いられるＭＸＦ（Material eXchange Format）に限られており、民生機器で用いられるファイル形式には対応していない。つまり、特許文献１の装置は、様々なタイプの民生機器で撮影された映像ファイルを入力することができない。
【０００７】
本考案は、上記のような課題を解決するためになされたものであって、その目的は、民生機器で撮影された映像を、簡易かつ即座に放送設備で利用可能とするための放送用信号生成装置を提供することである。
【課題を解決するための手段】
【０００８】
この考案のある局面に従う放送用信号生成装置は、民生機器で撮影された映像から、放送用映像信号を生成して出力する放送用信号生成装置であって、ファイル入力部と、リファレンス信号入力部と、コンテナ解析部と、復元部と、映像変換部と、生成部と、放送用信号出力部とを備え、これら各部は、単一の筐体に搭載されている。ファイル入力部は、複数種類のコンテナフォーマットのファイルを入力可能である。リファレンス信号入力部は、リファレンス信号を入力する。コンテナ解析部は、ファイル入力部に入力されたファイルのコンテナフォーマットを解析する。復元部は、コンテナ解析部による解析結果と、ファイルに含まれる映像データの圧縮方式とに応じて、元の映像を復元する。映像変換部は、復元部による復元後の映像を、所定の画素数の映像信号に変換する。生成部は、映像変換部による変換後の映像信号に基づいて、リファレンス信号入力部から入力されるリファレンス信号で同期された放送用映像信号を生成する。放送用信号出力部は、放送用映像信号を出力する。
【０００９】
好ましくは、筐体には、複数種類の記録媒体それぞれを装着するための複数の入力端子が設けられており、ファイル入力部は、入力端子に装着された記録媒体からファイルを読み出す。
【００１０】
好ましくは、放送用信号生成装置は、復元部による復元後の映像を、接続されたモニタに表示するための表示用信号に変換する表示用信号変換部と、筐体に設けられ、表示用信号を出力するための表示用信号出力部とをさらに備える。
【００１１】
復元部は、互いに異なる方式によってファイルから映像データを取り出す複数の分離部と、複数の分離部のうち、コンテナ解析部の解析結果に応じて１つの分離部を選択する第１の選択部とを含むことが望ましい。
【００１２】
また、復元部は、互いに異なる方式によって映像データをデコードする複数の映像デコード部と、複数の映像デコード部のうち、第１の選択部で選択された分離部により取り出された映像データの圧縮方式に応じて、１つの映像デコード部を選択する第２の選択部とをさらに含むことが望ましい。
【００１３】
分離部は、ファイルから映像データと音声データとを分離して取り出し、復元部は、取り出された音声データの圧縮方式に応じて、音声データをデコードする音声デコード部をさらに含んでもよい。この場合、放送用信号生成装置は、復元後の音声を、所定の周波数およびチャネルの音声信号に変換するための音声変換部と、映像変換部による変換後の映像信号と音声変換部による変換後の音声信号とを合成するための合成部と、映像デコード部および音声デコード部の処理状況と、映像変換部および音声変換部の処理状況とを監視し、変換遅延を評価して分離部にフィードバック情報を出力するための監視部とをさらに含むことが望ましい。
【考案の効果】
【００１４】
本考案によれば、民生機器で撮影された映像を、簡易かつ即座に放送設備で利用することが可能となる。
【図面の簡単な説明】
【００１５】
【図１】本考案の実施の形態に係る放送用信号生成装置を概念的に示す図である。
【図２】本考案の実施の形態に係る放送用信号生成装置の正面側の外観図である。
【図３】本考案の実施の形態に係る放送用信号生成装置に設けられたメディア装着部の構成例を示す図である。
【図４】本考案の実施の形態に係る放送用信号生成装置の背面図である。
【図５】本考案の実施の形態に係る放送用信号生成装置の機能構成の概略を示すブロック図である。
【図６】図５に示したデコードおよびＨＤ映像変換部の機能構成を示すブロック図である。
【考案を実施するための形態】
【００１６】
本考案の実施の形態について図面を参照しながら詳細に説明する。なお、図中同一または相当部分には同一符号を付してその説明は繰返さない。
【００１７】
（概要について）
図１は、本実施の形態に係る放送用信号生成装置１を概念的に示す図である。
【００１８】
放送用信号生成装置１は、主に放送局で使用される単体の装置である。放送用信号生成装置１は、デジタルカメラ、スマートフォン、携帯電話といった様々な民生機器で撮影された映像から、放送用映像信号としてのＨＤ−ＳＤＩ信号を生成して、出力する。具体的には、放送用信号生成装置１は、入力したファイルの映像データをデコードし、デコードした映像データをＨＤ−ＳＤＩ信号に変換して、放送設備等に出力する。
【００１９】
また、放送用信号生成装置１には、モニタ９が接続可能であり、デコードした映像データを、表示用信号、たとえばＨＤＭＩ（High-Definition Multimedia Interface）（登録商標）信号に変換して、モニタ９に出力することもできる。
【００２０】
民生機器で撮影された映像ファイルのコンテナフォーマットは、たとえば、ＡＶＩ、ＭＯＶ、ＭＰＥＧ−２システム、ＭＰ４など、多種多様である。そのため、同じ種類の記録媒体から入力されるファイルであっても、そのコンテナフォーマットは１種類に限られない。
【００２１】
放送用信号生成装置１は、コンテナフォーマットを解析する機能を有しており、その解析結果と映像データの圧縮方式とに応じて、元の映像を復元することができる。そのため、単体の放送用信号生成装置１だけで、視聴者が持ち込んだ映像を、簡易かつ即座に放送設備で利用可能となる。
【００２２】
また、本実施の形態に係る放送用信号生成装置１は、メモリカードやＵＳＢ（Universal Serial Bus）メモリなど複数種類の記録媒体（メディア）から、ファイルを入力可能である。また、ＬＡＮ（Local Area Network）ケーブルやＷｉ−Ｆｉ（無線ＬＡＮ）などのネットワークを介して、ファイルを入力することも可能である。そのため、映像を記録できる記録媒体の種類は、民生機器の種類によってまちまちであるが、放送用信号生成装置１によれば、多種の民生機器で撮影・記録された映像を、簡易かつ即座に放送設備で利用可能とすることができる。
【００２３】
具体的には、本実施の形態の放送用信号生成装置１は、主に、次のような特徴を有している。
ｉ）民生メディアに記録された映像を再生（復元）可能である。
ｉｉ）放送設備にダイレクトに接続可能である（ＦＳ機能を有する）。
ｉｉｉ）放送局の映像入出力信号形式（現状の放送設備では、ＨＤ−ＳＤＩ）に準拠している。
ｉｖ）ＶＴＲライクな操作性を有している。
ｖ）構成が一体化、小型化されている。
ｖｉ）ファイル以外の外部入力端子（たとえば、ＨＤＭＩ）を有している。
【００２４】
これらの特徴ｉ〜ｖｉ）を有する放送用信号生成装置１は、放送業界において非常に有用であると考えられる。以下に、このような放送用信号生成装置１の外観および構成例について、詳細に説明する。
【００２５】
（外観について）
図２は、放送用信号生成装置１の正面側の外観図である。
【００２６】
図２に示されるように、放送用信号生成装置１は、たとえば立方体形状の１つの筐体１０を備えている。この筐体１０に、放送用信号生成装置１が有する全ての機能部が、搭載されている。
【００２７】
筐体１０の正面１１には、複数種類の記録媒体を装着するためのメディア装着部２０と、ユーザからの指示を受け付ける操作部２２と、映像ファイルのサムネイルなどを表示するＬＣＤ（liquid crystal display）部２３と、内部ステータスを報知するＬＥＤ２４と、ヘッドフォンを接続するための音声出力端子２５と、音声出力確認用のＬＥＤ２６とが設けられている。また、ＨＤＭＩ信号を入力するためのＨＤＭＩ入力端子２７が設けられていてもよい。
【００２８】
図３に、メディア装着部２０の構成例が示されている。メディア装着部２０は、たとえば、メモリスティックを装着するメディア入力端子２１ａと、ＳＤカード、ＳＤＨＣカードなどを装着するメディア入力端子２１ｂと、マイクロＳＤカード、マイクロＳＤＨＣカードなどを装着するメディア入力端子２１ｃと、コンパクトフラッシュ（登録商標）カード、マイクロドライブなどを装着するメディア入力端子２１ｄと、ｘＤピクチャーカードを装着するメディア入力端子２１ｅと、ＵＳＢポート２１ｆとを有している。
【００２９】
このように、放送用信号生成装置１は、様々な種類の記録媒体（メディア）から映像ファイルを入力可能である。より具体的には、放送用信号生成装置１は、あらゆる種類のメモリカードを読み取り可能であり、マルチカードリーダを搭載している。
【００３０】
操作部２２は、図２に示されるように、電源のオン・オフを指示するための電源ボタン２２１と、再生開始、再生中の早送りや巻き戻し等を指示するための複数の指示ボタン２２２と、リスト画面の表示を指示するための指示ボタン２２３とを含む。再生に関する指示ボタン２２２の配置は、周知のＶＴＲ（videotape recorder）のように十字状に配置されており、操作性に優れている。
【００３１】
操作部２２は、さらに、ＬＣＤ部２３の表示内容を切替えるための指示ボタン２２４と、ＨＤＭＩ入力に切り替えるための指示ボタン２２５と、音量を調整するための指示ボタン２２６とを含む。
【００３２】
図４には、放送用信号生成装置１の背面図が示されている。筐体１０の背面１２には、ＤＣ電源の入力端子３１と、ＬＡＮケーブルを接続するためのＬＡＮ端子３２と、ＵＳＢケーブルを接続するためのＵＳＢ端子３３と、ＨＤＭＩケーブルを接続するためのＨＤＭＩ端子３４と、放送用の同軸ケーブルを接続するためのＳＤＩ出力端子３５と、ＲＥＦ（リファレンス）信号を入力するためのＲＥＦ入力端子３６とが設けられている。ＨＤＭＩケーブルによって、放送用信号生成装置１からモニタ９（図１）への映像伝送が可能となる。本実施の形態では、ＳＤＩ出力端子３５は２系統設けられており、一方の系統はＯＳＤ（On Screen Display）表示が可能となっている。
【００３３】
このように、放送用信号生成装置１は、正面１１側に、映像ファイル入力のための複数の端子、および、ＵＩ（ユーザインターフェイス）部がまとまり良く配置されており、使い勝手が良い。また、放送用信号生成装置１の筐体１０のサイズは、横幅２５ｃｍ以下、高さ４．５ｃｍ以下、奥行３６ｃｍ以下と、コンパクトである（１Ｕハーフラックサイズ）。そのため、放送用信号生成装置１の持ち運びにも便利である。さらに、放送用信号生成装置１はＤＣ電源で駆動するため、中継車にも最適である。
【００３４】
（機能構成の概略について）
図５は、放送用信号生成装置１の機能構成の概略を示すブロック図である。
【００３５】
図５に示されるように、放送用信号生成装置１は、コントロール系として、装置全体を制御する制御部４１と、プログラムやデータを記憶する記憶部４２と、計時動作を行う計時部４３とを備えている。制御部４１は、ＵＩ部すなわち、操作部２２、ＬＣＤ部２３、およびＬＥＤ２４，２６と電気的に接続されている。また、映像処理系の各部との間で情報の送受信を行う。制御部４１は、たとえばＣＰＵ（Central Processing Unit）により実現される。
【００３６】
放送用信号生成装置１は、映像処理系として、複数のメディアＩ／Ｆ（インターフェイス）５１と、デコードおよびＨＤ映像変換部５２と、バッファメモリ５３と、同期回路５４と、ＳＤＩ出力Ｉ／Ｆ５５と、デコードおよびＨＤＭＩ変換部５６と、バッファメモリ５７と、ＨＤＭＩ出力Ｉ／Ｆ５８とを備えている。
【００３７】
複数のメディアＩ／Ｆ５１は、図３に示した複数（たとえば６つ）のメディア入力端子２１ａ〜２１ｅそれぞれに対応している。メディアＩ／Ｆ５１は、メディア入力端子２１ａ〜２１ｅに装着された記録媒体から映像ファイルを読み込む。メディアＩ／Ｆ５１は、制御部４１からの指示に応じて、ＳＤＩ出力系統（すなわち、デコードおよびＨＤ映像変換部５２）、および、ＨＤＭＩ出力系統（すなわち、デコードおよびＨＤＭＩ変換部５６）に、読込んだ映像ファイルを選択的に出力する。
【００３８】
デコードおよびＨＤ映像変換部５２は、メディアＩ／Ｆ５１から取得した映像ファイルから、映像データを取り出し、その圧縮方式に応じて映像データをデコード（復元）する。また、デコードした映像データを、ＨＤ映像信号に変換する。ＨＤ映像信号は、放送に適した所定の画素数の映像信号の一例である。ＨＤ映像信号の規格は、画素数が１９２０×１０８０ピクセルのインターレース方式の規格（１９２０×１０８０／５９．９４ｉと表される）であり、フィールド周波数が５９．９４Ｈｚ、フレームレートが２９．９７ｆｐｓである。
【００３９】
また、映像ファイルに音声データも含まれている場合には、デコードおよびＨＤ映像変換部５２は、ファイルから取り出される音声データについても、その圧縮方式に応じて音声データをデコードし、デコードした音声データを、放送に適した所定の周波数およびチャネルの音声信号に変換する。変換後の音声信号は、ＨＤ映像信号と合成され、バッファメモリ５３に出力される。ＨＤ映像信号と音声信号とが合成された信号を、ここでは「音声重畳ＨＤ信号」という。なお、デコードおよびＨＤ映像変換部５２の具体的な機能構成については、後述する。
【００４０】
同期回路５４は、バッファメモリ５３に一時記憶されたＨＤ映像信号（または音声重畳ＨＤ信号）を入力し、入力したＨＤ映像信号を、ＲＥＦ入力端子３６から得られるＲＥＦ信号で同期する。ＲＥＦ信号は、放送局内での入力信号として要求される信号、たとえば、ＢＢ（Ｂｌａｃバースト）信号、または、ＨＤ３値同期信号である。
【００４１】
同期回路５４は、放送用映像信号であるＨＤ−ＳＤＩ信号を生成する生成部として機能する。具体的には、同期回路５４は、フレームメモリを有しており、ＲＥＦ入力端子３６から得られるＲＥＦ信号で同期して、フレームメモリへのＨＤ映像信号の書き込みおよび読出しを制御する。これにより、ＨＤ−ＳＤＩ信号が生成される。
【００４２】
ＳＤＩ出力Ｉ／Ｆ５５は、図４に示したＳＤＩ出力端子３５に接続された放送用ケーブルを介して、同期回路５４から得られるＨＤ−ＳＤＩ信号を、放送設備に出力する。
【００４３】
なお、映像処理系の各部の機能は、ハードウェアにより実現されてもよいし、ソフトウェアにより実行されてもよい。あるいは、映像処理系の一部がハードウェアで実現され、残りがソフトウェアにより実現されてもよい。映像処理系の少なくとも一部がソフトウェアにより実現される場合、対応部の機能および上記制御部４１の機能の双方は、１つのＣＰＵが記憶部４２に記憶されたプログラムを読み出して実行することで実現してもよい。
【００４４】
デコードおよびＨＤＭＩ変換部５６は、メディアＩ／Ｆ５１から取得した映像ファイルから、映像データを取り出し、その圧縮方式に応じて映像データをデコードする。また、デコードした映像データを、公知の手法により、ＨＤＭＩ信号に変換する。
【００４５】
バッファメモリ５７は、デコードおよびＨＤＭＩ変換部５６から出力されるＨＤＭＩ信号を一時記憶する。バッファメモリ５７に一時記憶されたＨＤＭＩ信号は、制御部４１からの指令信号に応じて、ＨＤＭＩ出力Ｉ／Ｆ５８に出力される。これにより、放送用信号生成装置１に接続されたモニタ９に、メディアＩ／Ｆ５１が読込んだファイルに格納されていた映像が表示される。
【００４６】
（デコードおよびＨＤ映像変換部の機能構成について）
図６は、デコードおよびＨＤ映像変換部５２の機能構成を示すブロック図である。なお、図６には、理解の容易のために、映像および音声の流れを示す矢印を太線で示し、他の信号線を細線で示している。
【００４７】
図６に示されるように、デコードおよびＨＤ映像変換部５２は、元の映像および音声を復元するための復元部６１と、映像および音声をそれぞれ放送に適した形式の信号に変換するための映像変換部６５および音声変換部６８と、映像変換部６５および音声変換部６８における変換後の映像信号および音声信号を合成する合成部６９とを含む。
【００４８】
本実施の形態の放送用信号生成装置１が取り扱えるファイルのコンテナフォーマットは複数種類あり、一律でない。コンテナフォーマットごとに、ファイルからの映像データおよび音声データの取り出し方法（分離方法）が異なる。そのため、復元部６１は、互いに異なる方式によってファイルから映像データおよび音声データを取り出す複数の分離部（ＤｅＭｕｘ）６２を有している。また、デコードおよびＨＤ映像変換部５２は、復元部６１の前段階において、入力したファイルのコンテナフォーマットを解析するコンテナ解析部６０を含んでいる。
【００４９】
コンテナ解析部６０は、メディアＩ／Ｆ５１から入力したファイルの内容を読み出して、ファイルのコンテナフォーマット（データ構造）を解析する。具体的には、ファイルの拡張子や、ファイルの階層構造を解析し、ファイルのコンテナフォーマットを解析する。民生コーデックされた映像は、ファイルの拡張子が同じでも、ファイル内のデータ構造が異なる場合があるからである。
【００５０】
メディアＩ／Ｆ５１が入力可能な映像ファイルの拡張子は、民生用ハンディカメラで使用される「.mts」、「.mp4」や、携帯電話等で使用される「.mov」、「.3gp」や、「.asf」、「.mpg/.mpeg」、「.avi」、など、１０種類以上ある。
【００５１】
コンテナ解析部６０は、複数の分離部６２のうち、コンテナフォーマットの解析結果に応じて（つまり、入力したファイルのデータ構造に応じて）１つの分離部６２を選択する。図６には、選択された分離部６２が示されているものとする。
【００５２】
選択された分離部６２は、コンテナ解析部６０からファイルを読出し、そのデータ構造に応じて、映像データおよび音声データを分離して取り出す。また、その際に、映像の時間情報、音声のチャネル情報などを含む付加情報（メタ情報）も取り出す。
【００５３】
本実施の形態では、取り出された映像および音声データの圧縮方式（コーデック）も、一律ではなく、それぞれ複数種類ある。圧縮方式ごとに、データの復元方法（復号化の方法）が異なる。そのため、復元部６１は、互いに異なる方式によって映像データをデコードする複数の映像デコーダ（映像デコード部）６４と、互いに異なる方式によって音声データをデコードする複数の音声デコーダ（音声デコード部）６７とを有している。また、複数の映像デコーダ６４のうち、分離後の映像データの圧縮方式に応じて、映像デコーダ６４を選択する映像用のデコーダ選択部６３と、複数の音声デコーダ６７のうち、分離後の映像データの圧縮方式に応じて、音声デコーダ６７を選択する音声用のデコーダ選択部６６とを有している。
【００５４】
映像データの圧縮方式（コーデック）としては、「AVCHD/MPEG-4」、「AVC/H.264」、「MPEG-4」、「H.264」、「WMV9」など、１０種類以上ある。音声データの圧縮方式（コーデック）としては、「LPCM」、「AC-3」、「AAC」、「WMA」、「MPEG audio Layer 3」など、１０種類以上ある。
【００５５】
映像用のデコーダ選択部６３は、分離部６２により取り出された映像データの構造（ＶＩＤＥＯ構造）を解析する。これにより、映像データの圧縮方式（コーデック）が判別できる。デコーダ選択部６３は、複数の映像デコーダ６４のなかから、取り出された映像データの圧縮方式に対応する（最適な）映像デコーダ６４を選択する。図６には、選択された映像デコーダ６４が示されているものとする。
【００５６】
音声用のデコーダ選択部６６は、分離部６２により取り出された音声データの構造（ＡＵＤＩＯ構造）を解析する。これにより、音声データの圧縮方式（コーデック）が判別できる。デコーダ選択部６６は、複数の音声デコーダ６７のなかから、取り出された音声データの圧縮方式に対応する（最適な）音声デコーダ６７を選択する。図６には、選択された音声デコーダ６７が示されているものとする。
【００５７】
選択された映像デコーダ６４は、分離部６２により取り出された映像データを入力し、入力した映像データをデコード（復元）する。復元後の映像信号は、映像変換部６５に出力される。同様に、選択された音声デコーダ６７は、分離部６２により取り出された音声データを入力し、入力した音声データをデコード（復元）する。復元後の音声信号は、音声変換部６８に出力される。
【００５８】
映像変換部６５は、分離部６２から得られるメタ情報（映像の時間情報、画素情報など）、および、コンテナ解析部６０から得られる（元の映像の）フレームレートに基づいて、デコードされた映像データを、ＨＤ映像信号に変換する。具体的には、まず、分離部６２から得られるメタ情報に基づいて、デコードされた映像データを、所定の画素数の映像データに変換する。その後、コンテナ解析部６０から得られるフレームレートに基づいて、フレームレートの変換処理を行って、ＨＤ映像信号（１９２０×１０８０／５９．９４ｉ）を生成する。変換後のＨＤ映像信号は、合成部６９に出力される。なお、フレームレートの変換処理は合成部６９で行われてもよい。
【００５９】
音声変換部６８は、分離部６２から得られるメタ情報（音声の周波数情報、チャネル情報など）に基づいて、デコードされた音声データを、放送用規格に準じた所定の周波数およびチャネルの音声信号に変換する。変換後の音声信号は、合成部６９に出力される。
【００６０】
合成部６９は、コンテナ解析部６０から得られるクロック情報と、映像デコーダ６４から得られる映像ストリーム内のクロック情報と、音声デコーダ６７から得られる音声ストリーム内のクロック情報とに基づいて、入力したＨＤ映像信号および音声信号を合成する。これにより、音声重畳ＨＤ信号が生成され、図５に示したバッファメモリ５３に出力される。
【００６１】
ここで、民生コーデックされた映像の場合、映像デコーダ６４においてリアルタイムにデコードすることが難しい。つまり、一定のデータ量で一定の復元データが得られない可能性がある。そうすると、合成部６９において、映像信号と音声信号との合成にずれが生じ、合成自体が遅延してしまう。業務用機器と比較すると、民生機器においては、映像のフレームレートや圧縮率が多種に及ぶからである。
【００６２】
そのため、本実施の形態のデコードおよびＨＤ映像変換部５２は、監視部７０を含んでいることが望ましい。
【００６３】
監視部７０は、映像デコーダ６４および音声デコーダ６７の処理状況と、ＨＤ映像変換部６５および音声変換部６８の処理状況とを監視し、映像の変換遅延を評価（算出）する。監視部７０は、その評価結果に応じたフィードバック情報を分離部６２に出力する。具体的には、分離部６２における、ファイルの読出し間隔をどの程度早めるかを判断し、その判断結果に応じた読出し間隔でファイルを読み出すよう、分離部６２に指示する。
【００６４】
分離部６２は、監視部７０からフィードバック情報を受信すると、コンテナ解析部６０からのファイルの読出し間隔を、指示に応じた読出し間隔に変更する。これにより、合成部６９において、映像信号と音声信号との合成タイミングのずれを抑制することができる。
【００６５】
なお、図６に示した各部の機能は、ソフトウェアにより実現される。これにより、装置の小型化を実現することができる。しかしながら、図６に示した各部の機能のうちのすくなくとも一部は、ハードウェアにより実現されてもよい。
【００６６】
以上説明したように、本実施の形態に係る放送用信号生成装置１は、マルチファイルプレーヤーとも称されるように、単体の装置において、多種の民生機器で記録された映像および音声から、所定規格の放送用映像信号（音声が重畳されたＨＤ−ＳＤＩ信号）を生成して出力することができる。
【００６７】
なお、図５に示したデコードおよびＨＤＭＩ変換部５６についても、コンテナ解析部６０および復元部６１の機能を有しているものとする。放送用信号生成装置１がＨＤＭＩ出力機能も有しているため、視聴者が持ち込んだ映像を、ＨＤ−ＳＤＩ信号として放送設備に流す前に、一旦、その内容をモニタ９で確認することができる。モニタ９に表示されている映像は、操作部２２の指示ボタン２２２によって早送りや巻き戻しが可能である。その際、モニタ９およびＬＣＤ部２３の少なくとも一方には、表示中の映像の時間情報が表示されてもよい。
【００６８】
また、ＨＤ−ＳＤＩ信号を出力している際に、ＬＣＤ部２３に、出力中の映像を表示してもよい。また、ＳＤＩ出力端子３５から、ＨＤ−ＳＤＩ信号とともに映像の時間情報を出力してもよい。
【００６９】
また、放送用信号生成装置１は、非対応コーデックの映像にも対応可能とするために、ＨＤＭＩ入力端子２７を介して入力されるＨＤＭＩ信号を、ＨＤ−ＳＤＩ信号に変換することもできる。これにより、放送用信号生成装置１は、あらゆる圧縮形式の映像を復元可能とすることができる。
【００７０】
なお、上記実施の形態では、メディアＩ／Ｆ５１が１つのファイルだけを取得した例を示したが、メディアＩ／Ｆ５１が複数のファイルを取得した場合には、ユーザが選択した１つのファイルに対し、上述のデコードおよび変換処理を行うものとする。
【００７１】
メディアＩ／Ｆ５１が複数のファイルを取得した場合、放送用信号生成装置１は、各映像ファイルを識別するためのサムネイルを生成し、ＬＣＤ部２３に複数のサムネイルを表示することが望ましい。この場合、複数のサムネイルから１つのサムネイルが選択された場合に、そのサムネイルが示すファイルのポインタが、デコードおよびＨＤ映像変換部５２のコンテナ解析部６０に出力される。なお、指定されたファイルとそれよりも後のファイルとが、連続的に処理されてもよい。
【００７２】
ファイルごとにサムネイルを生成する際には、各ファイルから映像データを取り出して、たとえば先頭画像をデコードする必要がある。この場合においても、上述のコンテナ解析部６０、分離部６２、映像用のデコーダ選択部６３、映像デコーダ６４の機能が実行される。ＬＣＤ部２３に表示された複数のサムネイルから１つのサムネイルの選択は、上述の指示ボタン２２２の操作により可能である。
【００７３】
なお、放送用信号生成装置１は、スマートフォンなどの他装置からネットワークを介してファイルを受信する場合、他装置において指定されたファイルだけを受信することができる。したがって、放送局に映像を持ち込んだ視聴者等のプライバシーを保護することもできる。
【００７４】
今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【符号の説明】
【００７５】
１  放送用信号生成装置、９  モニタ、１０  筐体、２０  メディア装着部、２１ａ〜２１ｅ  メディア入力端子、２１ｆ  ＵＳＢポート、２２  操作部、２３  ＬＣＤ部、２４，２６  ＬＥＤ、２５  音声出力端子、２７  ＨＤＭＩ入力端子、３１  ＤＣ電源の入力端子、３２  ＬＡＮ端子、３３  ＵＳＢ端子、３４  ＨＤＭＩ端子、３５  ＳＤＩ出力端子、３６  ＲＥＦ入力端子、４１  制御部、４２  記憶部、４３  計時部、５１  メディアＩ／Ｆ、５２  デコードおよびＨＤ映像変換部、５３，５７  バッファメモリ、５４  同期回路、５５  ＳＤＩ出力Ｉ／Ｆ、５６  デコードおよびＨＤＭＩ変換部、５８  ＨＤＭＩ出力Ｉ／Ｆ、６０  コンテナ解析部、６１  復元部、６２  分離部、６３  映像用デコーダ選択部、６４  映像デコーダ、６５  ＨＤ映像変換部、６６  音声用デコーダ選択部、６７  音声デコーダ、６８  音声変換部、６９  合成部、７０  監視部。
【図１】
0003202555.tif 000003
【図２】
0003202555.tif 000004
【図３】
0003202555.tif 000005
【図４】
0003202555.tif 000006
【図５】
0003202555.tif 000007
【図６】
0003202555.tif 000008